(57)【要約】【課題】温度上昇時の騒音増大を防止することができる光書込装置を提供する【解決手段】ケーシング７内にポリゴンミラー収容筐体１とレンズ５、６を配置し、ポリゴンミラー収容筐体１にあってレンズ５、６と対向する面に光ビームを透過する遮蔽ガラス２を設けた光書込装置において、遮蔽ガラス２をバイメタル１０によって保持する。【選択図】        図２
2005004002.tif 000002
【特許請求の範囲】
【請求項１】
ケーシング内にポリゴンミラー収容筐体とレンズ群を配置し、レンズ群から出射される光ビームを外部に透過する透明な遮蔽手段をポリゴンミラー収容筐体の開口に設けた光書込装置において、遮蔽手段をバイメタルからなる保持手段によって保持することを特徴とする光書込装置。
【請求項２】
ケーシング内にポリゴンミラー収容筐体とレンズ群を配置し、レンズ群から出射される光ビームを外部に透過する透明な遮蔽手段をポリゴンミラー収容筐体の開口に設けた光書込装置において、保持手段との間で遮蔽手段を挟み込むポリゴンミラー収容筐体の壁面を、遮蔽手段よりも熱膨張率の小さい部材によって構成することを特徴とする光書込装置。
【請求項３】
ケーシング内にポリゴンミラー収容筐体とレンズ群を配置し、レンズ群から出射される光ビームを外部に透過する透明な遮蔽手段をポリゴンミラー収容筐体の開口に設けた光書込装置において、遮蔽手段をバイメタルからなる保持手段によって保持すると共に、保持手段との間で遮蔽手段を挟み込むポリゴンミラー収容筐体の壁面を、遮蔽手段よりも熱膨張率の小さい部材によって構成することを特徴とする光書込装置。
【発明の詳細な説明】
【０００１】
【発明の属する技術分野】
本発明は、ケーシング内に、ポリゴンミラー収容筐体とレンズ群を配置し、ポリゴンミラー収容筐体にあってレンズ群と対向する面に光ビームを透過する遮蔽手段を設けた光書込装置に関する。本光書込装置は、レーザプリンタ、デジタル複写機、ファクシミリ等の画像形成装置に適用される。
【０００２】
【従来の技術】
光書込装置は、例えばレーザプリンタ、デジタル複写機、ファクシミリ等の電子写真式画像形成装置において、光ビームとしての画像情報を、画像形成部を構成する感光体に照射するための手段として利用されている。
図４は従来例に係る光書込装置の要部斜視図である。ポリゴンミラー収容筐体１にあってレンズ群と対向する壁面に設けた透過用の開口、或いは切欠きに対して、光ビームを透過する遮蔽手段としての遮蔽ガラス２を両面テープまたは接着剤等により固定していた。
【０００３】
【発明が解決しようとする課題】
上述したように従来は、ポリゴンミラー収容筐体にあってレンズ群と対向する壁面に、光ビームを透過する遮蔽手段としての遮蔽ガラスを両面テープまたは接着剤等により固定していたが、これらの接着手段は本来耐熱性が低いために、ポリゴンモータ回転時の熱によって両面テープまたは接着剤が軟化し、遮蔽ガラスが振動することで騒音が増大するという問題があった。
本発明は、温度上昇時の騒音増大を防止することができる光書込装置を提供することを目的とする。
【０００４】
【課題を解決するための手段】
上記目的を達成するために、請求項１記載の発明は、ケーシング内にポリゴンミラー収容筐体とレンズ群を配置し、レンズ群から出射される光ビームを外部に透過する透明な遮蔽手段をポリゴンミラー収容筐体の開口に設けた光書込装置において、遮蔽手段をバイメタルからなる保持手段によって保持することを特徴とする。
請求項２の発明は、ケーシング内にポリゴンミラー収容筐体とレンズ群を配置し、レンズ群から出射される光ビームを外部に透過する透明な遮蔽手段をポリゴンミラー収容筐体の開口に設けた光書込装置において、保持手段との間で遮蔽手段を挟み込むポリゴンミラー収容筐体の壁面を、遮蔽手段よりも熱膨張率の小さい部材によって構成することを特徴とする。
請求項３の発明は、ケーシング内にポリゴンミラー収容筐体とレンズ群を配置し、レンズ群から出射される光ビームを外部に透過する透明な遮蔽手段をポリゴンミラー収容筐体の開口に設けた光書込装置において、遮蔽手段をバイメタルからなる保持手段によって保持すると共に、保持手段との間で遮蔽手段を挟み込むポリゴンミラー収容筐体の壁面を、遮蔽手段よりも熱膨張率の小さい部材によって構成することを特徴とする。
【０００５】
【発明の実施の形態】
以下、本発明の実施の形態を図面に従って説明する。
図１は本発明の光書込装置の全体構成図である。前述した図４に示すポリゴンミラー収容筐体１内には、ポリゴンミラー３と、このポリゴンミラー３を回転駆動するポリゴンモータ４が収容される。またポリゴンミラー収容筐体１と、光ビーム出射方向下流側のレンズ５、６はケーシング７に収容され、ケーシングのベースに固定される。ケーシング７の下流側にはミラー８があり、ミラー８を介して感光体９に光ビームが走査される。
図２は本発明の要部である遮蔽ガラスの保持機構の第１の実施例を示す斜視図である。第１の実施例では、遮蔽ガラス（透明な遮蔽手段）２を保持手段としてのバイメタル１０とポリゴンミナー収容筐体１の壁面との間で保持する。バイメタル１０は、一端がポリゴンミラー収容筐体１の壁面に固定してあり、自由端で遮蔽ガラス２を内側から保持する。
機内の温度上昇に伴ってバイメタル１０の自由端が変形し、遮蔽ガラス２をポリゴンミラー収容筐体１の壁面（切欠き１ａの周縁部）に圧接する。従って、遮蔽ガラス２はポリゴンミラー収容筐体１に強固に固定される。なお、図面では筐体１の手前側を内側としたが、逆であっても良い。
従って、バイメタル１０は、機内温度の上昇によって遮蔽ガラス２と接する側に位置する金属層が反対側の金属層よりも熱膨張率が小さくなるように、２枚の異種金属を積層した構成とする。
【０００６】
図３は本発明の要部である遮蔽ガラスの保持機構の第２の実施例を示す上面断面図である。第２の実施例では、ポリゴンミラー収容筐体１の壁面の開口１ａの対向する内壁に嵌合凹所１ｂを設け、この凹所１ｂ内に遮蔽ガラス２の端縁を嵌合して支持すると共に、筐体１の壁面を遮蔽ガラス２よりも熱膨張率の小さい部材によって構成する。
このように、遮蔽ガラス２が挟み込まれているポリゴンミラー収容筐体１の壁面を、遮蔽ガラス２よりも熱膨張率の小さい部材によって構成することにより、機内の温度上昇に伴って、遮蔽ガラス２の方がポリゴンミラー収容筐体１の壁面より相対的に大きく膨張し、それによってポリゴンミラー収容筐体１の壁面による挟み込み力が大きくなる。従って、遮蔽ガラス２はポリゴンミラー収容筐体１に強固に固定される。
図２示す機構と図３に示す機構を組み合わせると、遮蔽ガラス２はポリゴンミラー収容筐体１にさらに強固に固定される。
即ち、ケーシング７内にポリゴンミラー収容筐体１とレンズ群５、６を配置し、レンズ群から出射される光ビームを外部に透過する透明な遮蔽手段２をポリゴンミラー収容筐体の開口１ａに設けた光書込装置において、遮蔽手段２をバイメタルからなる保持手段１０によって保持すると共に、保持手段１０との間で遮蔽手段を挟み込むポリゴンミラー収容筐体１の壁面を、遮蔽手段よりも熱膨張率の小さい部材によって構成してもよい。このようにすれば、バイメタルによる押圧と、ガラスの膨張による押圧力によって遮蔽手段の固定が強固となる。
なお、本発明の光書込装置は、レーザプリンタ、デジタル複写機、ファクシミリ等の電子写真式画像形成装置（光書込装置、感光体を中心とした画像形成部、及び給紙部の他、読み取り光学系等を備えている）に適用される。
【０００７】
【発明の効果】
請求項１記載の発明によれば、ケーシング内にポリゴンミラー収容筐体とレンズ群を配置し、ポリゴンミラー収容筐体にあってレンズ群と対向する面に光ビームを透過する遮蔽手段を設けた光書込装置において、遮蔽手段をバイメタルによって保持することで、機内の温度上昇時に遮蔽手段はポリゴンミラー収容筐体に強固に固定される。従って振動による騒音増大を防止することができる。
請求項２記載の発明によれば、ケーシング内にポリゴンミラー収容筐体とレンズ群を配置し、ポリゴンミラー収容筐体にあってレンズ群と対向する面に光ビームを透過する遮蔽手段を設けた光書込装置において、遮蔽手段が挟み込まれているポリゴンミラー収容筐体の壁面を、遮蔽手段よりも熱膨張率の小さい部材によって構成することで、機内の温度上昇時に遮蔽手段はポリゴンミラー収容筐体に強固に固定される。従って振動による騒音増大を防止することができる。
請求項３記載の発明によれば、ケーシング内にポリゴンミラー収容筐体とレンズ群を配置し、ポリゴンミラー収容筐体にあってレンズ群と対向する面に光ビームを透過する遮蔽手段を設けた光書込装置において、遮蔽手段をバイメタルによって保持すると共に、遮蔽手段が挟み込まれているポリゴンミラー収容筐体の壁面を、遮蔽手段よりも熱膨張率の小さい部材によって構成することで、機内の温度上昇時に遮蔽手段はポリゴンミラー収容筐体に強固に固定される。従って振動による騒音増大を防止することができる。
【図面の簡単な説明】
【図１】本発明の光書込装置の全体構成図。
【図２】本発明の要部である遮蔽ガラスの保持機構の第１の実施例を示す斜視図。
【図３】本発明の要部である遮蔽ガラスの保持機構の第２の実施例を示す上面断面図。
【図４】従来例に係る光書込装置の要部斜視図。
【符号の説明】
１  ポリゴンミラー収容筐体
２  遮蔽ガラス
３  ポリゴンミラー
４  ポリゴンモータ
５、６  レンズ
７  ケーシング
１０  バイメタル
【図１】
2005004002.tif 000003
【図２】
2005004002.tif 000004
【図３】
2005004002.tif 000005
【図４】
2005004002.tif 000006